(57)【要約】【課題】屋根上に網材を連続波状に配設することが容易に行われる画期的な屋根融雪装置を提供すること。【解決手段】屋根１の上方に間隙２を置いて網材３を配設し、この網材３を連続波状に形成する屋根融雪装置であって、単管４を組んで構成したフレーム枠５を所定間隔を置いて対設状態に立設配設し、この対設するフレーム枠５の上部間に，このフレーム枠５の対向方向と直交する方向に所定間隔を置いて取付杆６を複数並設状態に架設すると共に、この対設するフレーム枠５の下部間に，このフレーム枠５の対向方向と直交する方向に所定間隔を置いて取付杆６を複数並設状態に架設して、このフレーム枠５と取付杆６とで成る基枠体Ａを屋根１上に配設固定し得るように構成し、この基枠体Ａの上下の取付杆６間に前記網材３を連続波状に架設配設する構成としたことを特徴とする屋根融雪装置。【選択図】        図１
2004278145.tif 000002
【特許請求の範囲】
【請求項１】
屋根の上方に間隙を置いて網材を配設し、この網材を連続波状に形成する屋根融雪装置であって、単管を組んで構成したフレーム枠を所定間隔を置いて対設状態に立設配設し、この対設するフレーム枠の上部間に，このフレーム枠の対向方向と直交する方向に所定間隔を置いて取付杆を複数並設状態に架設すると共に、この対設するフレーム枠の下部間に，このフレーム枠の対向方向と直交する方向に所定間隔を置いて取付杆を複数並設状態に架設して、このフレーム枠と取付杆とで成る基枠体を屋根上に配設固定し得るように構成し、この基枠体の上下の取付杆間に前記網材を連続波状に架設配設する構成としたことを特徴とする屋根融雪装置。
【請求項２】
前記基枠体は、少なくとも屋根の軒先側を２０ｃｍ〜１．２ｍ程あけて屋根上に配設したことを特徴とする請求項１記載の屋根融雪装置。
【請求項３】
前記基枠体は、屋根傾斜方向に人が歩行可能な間隔を置いて複数並設状態に配設したことを特徴とする請求項１，２のいずれか１項に記載の屋根融雪装置。
【請求項４】
前記基枠体は、屋根傾斜方向に間隔を置いて複数並設状態に配設し、この屋根傾斜方向に並設する各基枠体に対して連続波状に配設する前記網材は、屋根の傾斜下側と上側とで網材の山部の位置と谷部の位置とが横方向に異なるように配設したことを特徴とする請求項１〜３のいずれか１項に記載の融雪屋根装置。
【請求項５】
前記基枠体の下部にアングル材を設け、この基枠体下部のアングル材を屋根上に固定することで、基枠体を屋根上に配設固定し得るように構成したことを特徴とする請求項１〜４のいずれか１項に記載の屋根融雪装置。
【請求項６】
アングル材にクランプ部を設けて成る固定具のこのクランプ部を前記基枠体の下部の単管に固定し、この固定具のアングル材を雪止アングル固定金具に固定することで、基枠体を屋根上に配設固定し得るように構成したことを特徴とする請求項１〜５のいずれか１項に記載の屋根融雪装置。
【発明の詳細な説明】
【０００１】
【発明の属する技術分野】
本発明は、屋根融雪装置に関するものである。
【０００２】
【従来の技術及び発明が解決しようとする課題】
出願人は、屋根の上方に間隙を置いて網材を配設し、この網材を連続波状に形成した屋根融雪装置として、特開平２−２３６３７０号を出願している。
【０００３】
この先願によれば、網材上の積雪と網材下方の外気との接触面積が遙に増大し、それだけ間隙を介しての風や太陽光線、雨などの熱エネルギーによる融雪作用を多く得ることができるとともに融雪水は速やかに網目を通して落水し、融雪水の存在による網材上近傍の雪の凍結やシャーベット化が抑制され、融雪効果を著しく向上することができ、非常に実用的であった。
【０００４】
本発明は、この先願の改良に係るもので、屋根上に網材を連続波状に配設することが容易に行われる画期的な屋根融雪装置を提供するものである。
【０００５】
【課題を解決するための手段】
添付図面を参照して本発明の要旨を説明する。
【０００６】
屋根１の上方に間隙２を置いて網材３を配設し、この網材３を連続波状に形成する屋根融雪装置であって、単管４を組んで構成したフレーム枠５を所定間隔を置いて対設状態に立設配設し、この対設するフレーム枠５の上部間に，このフレーム枠５の対向方向と直交する方向に所定間隔を置いて取付杆６を複数並設状態に架設すると共に、この対設するフレーム枠５の下部間に，このフレーム枠５の対向方向と直交する方向に所定間隔を置いて取付杆６を複数並設状態に架設して、このフレーム枠５と取付杆６とで成る基枠体Ａを屋根１上に配設固定し得るように構成し、この基枠体Ａの上下の取付杆６間に前記網材３を連続波状に架設配設する構成としたことを特徴とする屋根融雪装置に係るものである。
【０００７】
また、前記基枠体Ａは、少なくとも屋根１の軒先側を２０ｃｍ〜１．２ｍ程あけて屋根１上に配設したことを特徴とする請求項１記載の屋根融雪装置に係るものである。
【０００８】
また、前記基枠体Ａは、屋根１傾斜方向に人が歩行可能な間隔７を置いて複数並設状態に配設したことを特徴とする請求項１，２のいずれか１項に記載の屋根融雪装置に係るものである。
【０００９】
また、前記基枠体Ａは、屋根１傾斜方向に間隔７を置いて複数並設状態に配設し、この屋根１傾斜方向に並設する各基枠体Ａに対して連続波状に配設する前記網材３は、屋根１の傾斜下側と上側とで網材３の山部３Ａの位置と谷部３Ｂの位置とが横方向に異なるように配設したことを特徴とする請求項１〜３のいずれか１項に記載の融雪屋根装置に係るものである。
【００１０】
また、前記基枠体Ａの下部にアングル材８を設け、この基枠体Ａ下部のアングル材８を屋根１上に固定することで、基枠体Ａを屋根１上に配設固定し得るように構成したことを特徴とする請求項１〜４のいずれか１項に記載の屋根融雪装置に係るものである。
【００１１】
また、アングル材８にクランプ部９を設けて成る固定具１０のこのクランプ部９を前記基枠体Ａの下部の単管４に固定し、この固定具１０のアングル材８を雪止アングル固定金具１１に固定することで、基枠体Ａを屋根１上に配設固定し得るように構成したことを特徴とする請求項１〜５のいずれか１項に記載の屋根融雪装置に係るものである。
【００１２】
【発明の実施の形態】
好適と考える本発明の実施の形態（発明をどのように実施するか）を、図面に基づいてその作用効果を示して簡単に説明する。
【００１３】
単管４で構成したフレーム枠５を所定間隔を置いて対設状態に立設配設し、この対設するフレーム枠５の上部間と下部間とに、このフレーム枠５の対向方向と直交する方向に複数並設状態に取付杆６を架設して基枠体Ａを構成し、この基枠体Ａの上下の取付杆６間に網材３を連続波状に架設配設する。
【００１４】
そして、この網材３を連続波状に設けた基枠体Ａを屋根１上に配設固定すると、屋根１の上方に間隔２を置いて網材３が連続波状に配設されることになる。
【００１５】
従って、これにより網材３上の積雪と網材３下方の外気との接触面積が増大し、それだけ間隙を介しての風や太陽光線、雨などの熱エネルギーによる融雪作用を多く得ることができるとともに融雪水は速やかに網目を通して落水し、融雪水の存在による網材３上近傍の雪の凍結やシャーベット化が抑制され、融雪効果を著しく向上することになる。
【００１６】
また、この基枠体Ａは、屋根１上で組んで配設固定しても良いし、予め組み立てた基枠体Ａを屋根１上に上げて固定しても良い。網材３も、屋根１上で組まれた基枠体Ａに架設配設しても良いし、屋根１に上げる前に予め組んだ基枠体Ａに架設配設しておいて完成済の網材３付基枠体Ａを屋根に上げて固定するようにしても良い。
【００１７】
従って、例えば単に基枠体Ａを組んでこの基枠体Ａに網材３を連続波状に配設固定し、この網材３を備えた基枠体Ａを屋根１上に固定するだけで本発明の屋根融雪装置は施工でき、しかも、フレーム枠５は単管４によって構成するからコスト安で且つクランプなどを利用することで簡単に組むことができるし、単管の長さを選択することで施工する屋根の大きさ・形状に応じた最適な大きさのものや、連続波状に配設する網材の高さも容易に設計変更可能となり、その上網材３も単に上下の取付杆６間に架設することで連続波状に配設することができるなど、基枠体Ａを組むことも網材３を架設配設することも容易に行われる極めて実用性に秀れた画期的な屋根融雪装置となる。
【００１８】
また、例えば、前記基枠体Ａは、少なくとも屋根１の軒先側を２０ｃｍ〜１．２ｍ程あけて屋根１上に配設すれば、網材３上では融雪作用が得られ、軒先部分の雪は屋根１下へと滑落することになる。尚、傾斜が緩やかな屋根でも屋根１の軒先側を１．２ｍ程あけておくことで軒先に積雪した雪は溜まり続けずに良好に滑落することが確認されている。
【００１９】
従って、連続波状の網材３による融雪効果に加えて、最も積雪の重みがかかって傷み易い屋根軒先側の雪の滑落を促すことができるため、屋根１軒先部分が傷みにくくなり、また、軒先から滑落する雪は軒先側の２０ｃｍ〜１．２ｍ程のスペースでの少積雪のため、多量に落雪することがなく、落雪の際の危険性も軽減することになる。
【００２０】
また、軒先部分には連続波状の網材３を備えた基枠体Ａを設置しないために、基枠体Ａを屋根１全面に配設固定する場合に比してコスト安に施工可能となる。
【００２１】
また、例えば、前記基枠体Ａは、屋根１傾斜方向に人が歩行可能な間隔７を置いて複数並設状態に配設すれば、融雪装置施工後も間隔７を利用して作業者が屋根１上に上ることができるためにメンテナンスなどを容易に行うことができるし、この際基枠体Ａが手摺としても機能するために安全に作業を行うことができ、しかも、間隔７を置いて配設することで基枠体Ａを屋根１全面に配設固定する場合に比してコスト安に施工可能となるため、特に面積の大きい屋根１に対して有効であるなど、一層実用的となる。
【００２２】
また、例えば、前記基枠体Ａは、屋根１傾斜方向に間隔７を置いて複数並設状態に配設し、この屋根１傾斜方向に並設する各基枠体Ａに対して連続波状に配設する前記網材３は、屋根１の傾斜下側と上側とで網材３の山部３Ａの位置と谷部３Ｂの位置とが横方向に異なるように配設すれば、間隔７を置いて屋根１上に配設することで基枠体Ａを屋根１全面に配設固定する場合に比してコスト安に施工可能となるため、特に面積の大きい屋根１に対して有効となり、しかも、網材３の谷部３Ｂは、雪が溜まり易く且つ屋根１との間の前記間隙２が狭いために山部３Ａに比して通気が悪く雪が融けにくいが、この谷部３Ｂが屋根１傾斜方向に連続せず、谷部３Ｂの上側若しくは下側には網材３の山部３Ａが位置することになるため、谷部３Ｂの上側若しくは下側からの良好な通気作用によって谷部３Ｂに溜まった雪も良く融けることになるなど、一層実用的となる。
【００２３】
また、例えば、前記基枠体Ａの下部にアングル材８を設け、この基枠体Ａ下部のアングル材８を屋根１上に固定することで、基枠体Ａを屋根１上に配設固定し得るように構成すれば、例えば、雪止アングル固定金具１１などを使用して基枠体Ａを屋根１上に容易に固定可能となるため、一層実用的となる。
【００２４】
また、例えば、アングル材８にクランプ部９を設けて成る固定具１０のこのクランプ部９を前記基枠体Ａの下部の単管４に固定し、この固定具１０のアングル材８を雪止アングル固定金具に固定することで、基枠体Ａを屋根１上に配設固定し得るように構成すれば、この固定具１０により基枠体Ａを屋根１上に極めて容易に配設固定でき、一層実用的となる。
【００２５】
【実施例】
本発明の具体的な実施例について図面に基づいて説明する。
【００２６】
本実施例は、屋根１の上方に間隙２を置いて網材３を配設し、この網材３を連続波状に形成する屋根融雪装置であって、単管４を組んで構成したフレーム枠５を所定間隔を置いて対設状態に立設配設し、この対設するフレーム枠５の上部間に，このフレーム枠５の対向方向と直交する方向に所定間隔を置いて取付杆６を複数並設状態に架設すると共に、この対設するフレーム枠５の下部間に，このフレーム枠５の対向方向と直交する方向に所定間隔を置いて取付杆６を複数並設状態に架設して、このフレーム枠５と取付杆６とで成る基枠体Ａを屋根１上に配設固定し得るように構成し、この基枠体Ａの上下の取付杆６間に前記網材３を連続波状に架設配設する構成としている。
【００２７】
具体的に説明すると、フレーム枠５は、図１に示すように、単管４を略方形枠状に組んで構成しているもので、本実施例ではこのフレーム枠５を屋根１傾斜方向に所定間隔を置いて立設状態に対設させている。
【００２８】
また、軒先側のフレーム枠５は、高さのある縦設単管４を使用して構成することで、傾斜屋根１上に設置した際に軒先側のフレーム枠５と棟側のフレーム枠５との高さが略同じ高さとなるように構成している（図２参照）。
【００２９】
また、この軒先側のフレーム枠５には、上部の横設単管４Ａと下部の横設単管４Ｂとの間のやや下部の横設単管４Ｂ寄りの位置にも取付用横設単管４Ｃを連結し、この取付用横設単管４Ｃが傾斜屋根１上では棟側のフレーム枠５の下部の横設単管４Ｂと略同じ高さに位置するように設けている。
【００３０】
尚、このフレーム枠５の各単管４同士の連結構造は二体のクランプが互いに回転自在に連結された既存の自在クランプ１２を用いて行っている。
【００３１】
取付杆６は、この対設するフレーム枠５の上部の横設単管４Ａ間に架設状態に設けると共に、軒先側フレーム枠５の前記取付用横設単管４Ｃと棟側フレーム枠５の下部の横設単管４Ｂとの間に架設した構成としている。
【００３２】
即ち、この取付杆６は、図２に示すように傾斜屋根１上で略水平状態に配設される構成としている。
【００３３】
更に説明すると、取付杆６は断面Ｌ形の金属杆を採用し、この取付杆６を上部の横設単管４Ａ及び下部の横設単管４Ｂ及び取付用横設単管４Ｃにビス止などの止着手段により止着固定している。
【００３４】
また、上部に架設された取付杆６と、下部に架設された取付杆６との位置がフレーム枠５の対向方向と直交する方向にずれるようにして架設固定している。
【００３５】
本実施例では、この屋根傾斜方向に対設するフレーム枠５と複数の取付杆６と適所に連結固定した補強単管４Ｄとで前記基枠体Ａを構成している。従って、本実施例の基枠体Ａは、単に自在クランプ１２を利用してフレーム枠５を組んだ上、対設させたこのフレーム枠５間に取付杆６をビス止などによって固定することだけで簡単に組むことができる構成としている。
【００３６】
また、本実施例の網材３は、網目間隔が１ｃｍ程度の丈夫な亀甲あみの金属網３を採用し（図２参照）、この網材３を帯状にカットして上部の取付杆６に対してはこの取付杆６の上方に掛け回し、下部の取付杆６に対してはこの取付杆６の下方に掛け回すようにして位置をずらして設けた取付杆６に例えば上、下、上・・・と交互に横方向に網材３を張設することで連続波状に網材３を配設した構成としている。
【００３７】
従って、このようにして簡単に基枠体Ａに網材３を連続波状に配設固定することができる。
【００３８】
また、この連続波状に配設される網材３は、高さが４０ｃｍ〜５０ｃｍ程度，ピッチが４０ｃｍ〜５５ｃｍ程度となるように前記取付杆６の配置を設定構成している。この網材３の高さ及びピッチは、本装置を実施する地域での雪の降り方や降雪量などによって適宜変更するが、上記のような数値範囲内で寸法設定を行うことで良好な融雪効果が得られる。
【００３９】
本実施例の基枠体Ａの屋根１への取付構造を説明すると、前記基枠体Ａの下部にアングル材８を設け、この基枠体Ａ下部のアングル材８を屋根１上に固定することで、基枠体Ａを屋根１上に配設固定し得るように構成している。
【００４０】
更に説明すると、固定具１０を介して基枠体Ａを屋根１に対して取付固定している。
【００４１】
具体的に説明すると、本実施例の固定具１０は、図３に示すように、アングル材８の屈曲部を境にした一側面に、ボルト止穴付のクランプ部９をボルト１４・ナット１５止して成る構成としている。尚、アングル材８にクランプ部９を溶接することで固定具１０を構成しても良い。
【００４２】
そして、この固定具１０のクランプ部９を前記基枠体Ａの下部前後の横設単管４に固定し、アングル材８を屋根１上に取付固定した雪止アングル固定金具１１に固定することで、この固定具１０を介して基枠体Ａを屋根１上に配設固定する構成としている。
【００４３】
即ち、基枠体Ａの大きさ・形状に応じて予め屋根の適所に雪止アングル固定金具１１を多数固定しておき、この多数の雪止アングル固定金具１１に固定具１０のアングル材８を固定し、この固定具１０のクランプ部９に長い横設単管４（下部の横設単管４Ｂ）を固定して前述のような基枠体Ａを組むことができる構成としている。
【００４４】
尚、予め組み立てておいた基枠体４の下部前後の横設単管４にクランプ部９を介して固定具１０を固定しておき、現場に持ち込んだこの組み立て済基枠体Ａを固定具１０のアングル材８を介して屋根１上の雪止アングル固定金具１１に固定するようにしても良い。
【００４５】
従って、本実施例では、雪止アングル固定金具１１を利用して簡単に本装置を長尺瓦棒葺屋根１に対して設置可能となり、また、本装置の設置と同時にアングル材８による雪止効果も発揮することになる構成としている。
【００４６】
また、本実施例では、屋根１として長尺瓦棒葺屋根１を示しており、雪止アングル固定金具１１は、図３に示すようにこの長尺瓦棒葺屋根１の瓦棒１３に対して被嵌固定できる構成のものを示している。
【００４７】
また、本実施例では、前記連続波状の網材３を設置した前記基枠体Ａは、屋根１の軒先側を２０ｃｍ〜１．２ｍ程あけて屋根１上に配設する構成としている。
【００４８】
従って、これにより網材３上では前記従来例と同様な融雪作用が得られ、また、軒先部分の雪は屋根１下へと滑落することになる構成としている。
【００４９】
また、この軒先側にあける間隔は、屋根１の傾斜角度によって異なる。即ち、傾斜角度が急な屋根１程あける間隔を少なくし、傾斜角度が緩やかな屋根１程あける間隔を広くすると良い。尚、一般的な傾斜角度の長尺瓦棒葺屋根１では、１．２ｍ程軒先側をあけておくことで屋根１軒先側に積もった雪が自然に滑落することが確認されており、また、屋根１軒先側の１．２ｍ程の部分に積もった雪は、屋根１下へ落下しても、雪囲いなどの設備が必要となる程雪が溜まらないことが確認されている。
【００５０】
次に、具体的な設置（施工）例を説明すると、図１は、面積の小さい屋根１への設置例として、屋根１傾斜方向と直交する横方向に長さを有する基枠体Ａを一体だけ配設した場合を示している。
【００５１】
また、図４〜図６は、面積の大きい屋根１への設置例として、屋根１傾斜方向に人が歩行可能な間隔７を置いて図１と同様に横方向に長さを有する基枠体Ａを複数並設状態に配設した場合を示している。尚、基枠体Ａを何体並設するかは屋根１の大きさに応じて適宜設計変更可能であるが、大きい屋根１に対しては並設数を増やした方が融雪効果が上がるために望ましい。
【００５２】
この場合、本装置施工後も間隔７を利用して作業者が屋根１上に上ることができるためにメンテナンスなどを容易に行うことができ、しかも、間隔７を置くことで基枠体Ａを屋根１全面に設置する場合に比してコスト安に施工可能となる。
【００５３】
また、本実施例では、この基枠体Ａ間の間隔７は、作業者が歩行し易く、且つメンテナンスの際に作業者がしゃがんだりすることも容易に行われる７０〜８０ｃｍ程度の間隔７に設定している。また、このような寸法の間隔７では、風通しが良いため、この間隔７の屋根１上に積もった雪にも良好な融雪作用が得られ、雪が良く消えることになる。
【００５４】
また、本実施例では、基枠体Ａは、屋根の傾斜方向と直交する方向の端部と、同方向の屋根１端部との間にも人が歩行可能な間隔７を置くように配設し、例えば軒先側の基枠体Ａをメンテナンスした後、作業者が歩行により屋根１上を移動して棟側の基枠体Ａをメンテナンスできるように構成している。
【００５５】
また、この図４〜図６の設置態様の場合、屋根１傾斜方向に並設する各基枠体Ａに対して連続波状に配設する前記網材３は、屋根１の傾斜下側と上側とで網材３の山部３Ａの位置と谷部３Ｂの位置とが横方向に異なるように配設している。
【００５６】
具体的には、図６に示すように、軒先側に配設された網材３の山部３Ａに対して、棟側に並設配設された網材３の谷部３Ｂが屋根１傾斜方向に並設するように、屋根１の傾斜下側と上側とで網材３の山部３Ａの位置と谷部３Ｂの位置とを横方向に異ならせている。
【００５７】
従って、網材３の谷部３Ｂは、雪が溜まり易く且つ屋根１との間の前記間隙２が狭いために山部３Ａに比して通気が悪く雪が融けにくいが、この谷部３Ｂが屋根１傾斜方向に連続せず、谷部３Ｂの上側若しくは下側には網材３の山部３Ａが並設配設することになるため、谷部３Ｂの上側若しくは下側からの良好な通気作用によって谷部３Ｂに溜まった雪も良く融けることになる構成としている。
【００５８】
また、図４に示すように、本装置を設置した屋根１の軒先の下方に下屋根や玄関などがある場合には、下屋根１Ａや玄関に軒先から滑落する雪が溜まりにくいように軒先と本装置との間隔を小さく設定することが望ましい。
【００５９】
尚、本発明は、本実施例に限られるものではなく、各構成要件の具体的構成は適宜設計し得るものである。
【００６０】
【発明の効果】
本発明は上述のように構成したから、例えば単に基枠体を組んでこの基枠体に網材を連続波状に配設固定し、この網材を備えた基枠体を屋根上に固定するだけで本発明の屋根融雪装置は施工でき、しかも、フレーム枠は単管によって構成するからコスト安で且つクランプなどを利用することで簡単に組むことができるし、単管の長さを選択することで施工する屋根の大きさ・形状に応じた最適な大きさのものや、連続波状に配設する網材の高さも容易に設計変更可能となり、その上網材も単に上下の取付杆間に架設することで連続波状に配設することができるなど、基枠体を組むことも網材を架設配設することも容易に行われる極めて実用性に秀れた画期的な屋根融雪装置となる。
【００６１】
また、請求項２記載の発明においては、連続波状の網材による融雪効果に加えて、最も積雪の重みがかかって傷み易い屋根軒先側の雪の滑落を促すことができるため、屋根軒先部分が傷みにくくなると共に、軒先から多量の雪が落下することもないために落雪の際の危険性も軽減することになり、しかも、軒先部分には連続波状の網材を備えた基枠体を設置しないために、基枠体を屋根全面に配設固定する場合に比してコスト安に施工可能となるなど、一層実用性に秀れた構成の屋根融雪装置となる。
【００６２】
また、請求項３記載の発明においては、融雪装置施工後も基枠体間の間隔を利用して作業者が屋根上に上ることができるためにメンテナンスなどを容易に行うことができるし、この際基枠体が手摺としても機能するために安全に作業を行うことができ、しかも、間隔を置くことで基枠体を屋根全面に配設固定する場合に比してコスト安に施工可能となるなど、一層実用性に秀れた構成の屋根融雪装置となる。
【００６３】
また、請求項４記載の発明においては、間隔を置いて基枠体を屋根上に配設することで基枠体を屋根全面に配設固定する場合に比してコスト安に施工可能となるため、特に面積の大きい屋根に対して有効となり、しかも、網材の谷部は、雪が溜まり易く且つ屋根との間の前記間隙が狭いために山部に比して通気が悪く雪が融けにくいが、この谷部が屋根傾斜方向に連続せず、谷部の上側若しくは下側には網材の山部が位置することになるため、谷部の上側若しくは下側からの良好な通気作用によって谷部に溜まった雪も良く融けることになるなど、一層実用性に秀れた構成の屋根融雪装置となる。
【００６４】
また、請求項５記載の発明においては、例えば、雪止アングル固定金具などを使用して基枠体を屋根上に容易に固定可能となる一層実用性に秀れた構成の屋根融雪装置となる。
【００６５】
また、請求項６記載の発明においては、固定具により基枠体を屋根上に極めて容易に配設固定できる一層実用性に秀れた構成の屋根融雪装置となる。
【図面の簡単な説明】
【図１】本実施例の施工状態（完成状態）を示す説明斜視図である。
【図２】図１の要部拡大側面図である。
【図３】本実施例の基枠体の屋根上への固定構造を示す部分拡大説明図である。
【図４】本実施例の他の施工状態を示す説明側面図である。
【図５】図４の屋根片面だけを示した説明平面図である。
【図６】図５の説明正面図である。
【符号の説明】
１  屋根
２  間隙
３  網材
３Ａ  山部
３Ｂ  谷部
４  単管
５  基枠体
６  取付杆
７  間隔
８  アングル材
９  クランプ部
１０  固定具
１１  雪止アングル固定金具
Ａ  基枠体
【図１】
2004278145.tif 000003
【図２】
2004278145.tif 000004
【図３】
2004278145.tif 000005
【図４】
2004278145.tif 000006
【図５】
2004278145.tif 000007
【図６】
2004278145.tif 000008